【手続補正書】
【提出日】平成25年5月7日(2013.5.7)
【手続補正１】
【補正対象書類名】特許請求の範囲
【補正対象項目名】全文
【補正方法】変更
【補正の内容】
【特許請求の範囲】
【請求項１】
頭蓋顔面空間における関心領域に関連する第１データセットおよび第２データセットのマッチングを容易化する方法であって、
（ａ）前記第１データセットで面オブジェクトの少なくとも一部分を識別するステップと、
（ｂ）前記面オブジェクトに基づいて第１座標を識別するステップと、
（ｃ）前記第２データセットでボリュームオブジェクトの少なくとも一部分を識別するステップと、
（ｄ）前記ボリュームオブジェクトに基づいて第２座標を識別するステップと、
を含み、前記第１座標および第２座標が互いに所定の関係を有する、
方法。
【請求項２】
前記第１座標が前記面オブジェクトの中心点であり、かつ前記第２座標が前記ボリュームオブジェクトの長手中心軸であり；または前記第１座標が前記面オブジェクトの中心点を通る中心軸であり、かつ前記第２座標が前記ボリュームオブジェクトの長手中心軸であり、前記第１座標および前記第２座標が共通中心軸となるように、前記面オブジェクトおよび前記ボリュームオブジェクトが同軸上に配置され；または前記面オブジェクトおよび前記ボリュームオブジェクトが同心状に配置され、かつ前記第１座標および前記第２座標が共通中心点を有する、請求項１に記載の方法。
【請求項３】
前記所定の関係は、前記第１座標および第２座標が一致することを含む、請求項１または２のいずれかに記載の方法。
【請求項４】
前記ボリュームオブジェクトが、前記面オブジェクトによって少なくとも部分的に閉囲される空気のボリュームである、請求項１ないし３のいずれかに記載の方法。
【請求項５】
前記面オブジェクトおよび前記ボリュームオブジェクトが実質的に同一の接合面を有し；または前記面オブジェクトおよび前記ボリュームオブジェクトが実質的に同一の接合面を有しかつ前記ボリュームオブジェクトが前記面オブジェクトの凹所であり；または前記面オブジェクトおよび前記ボリュームオブジェクトが実質的に同一の接合面を有しかつ前記ボリュームオブジェクトが前記面オブジェクトの凹所であり、かつ前記凹所が解放可能に取付け可能な閉じ蓋を備え、前記蓋が前記凹所に適切に配置されたときに前記凹所が閉囲される、請求項１ないし４のいずれかに記載の方法。
【請求項６】
前記面オブジェクトおよび前記ボリュームオブジェクトが両方とも走査用構造にまたはその全体の一部分として不可欠な部分に付着され；かつ／または前記面オブジェクトおよび前記ボリュームオブジェクトが、歯のような解剖学的に固定された構造または副木に付着される、請求項１ないし５のいずれかに記載の方法。
【請求項７】
前記面オブジェクトの前記第１データセットが、第１の非物質透過型の３Ｄデータ生成装置を用いて前記面オブジェクトを走査することによって生成され；かつ前記ボリュームオブジェクトの前記第２データセットが物質透過型の３Ｄデータ生成装置を用いることによって生成され；かつ／または前記面オブジェクトに基づいて第１座標を識別するステップが、前記面オブジェクトのＣＡＤデータに基づいて前記第１座標を識別するステップを含む、請求項１ないし６のいずれかに記載の方法。
【請求項８】
頭蓋顔面空間における関心領域に関連する第１および第２データセットをマッチングする方法であって、請求項１ないし７のいずれかに記載の前記方法と、前記頭蓋顔面空間における前記関心領域のマッチしたデータセットを生成するために、前記第１座標と前記第２座標との間の前記所定の関係に基づいて、前記第１データセットの座標系を前記第２データセットの座標系に変換するステップを含む方法。
【請求項９】
頭蓋顔面治療処置を仮想的に計画する方法であって、前記仮想計画方法が、請求項８に記載の前記方法と、前記マッチしたデータセットに基づいて前記仮想計画を実行するステップと、前記頭蓋顔面治療処置で使用される少なくとも１つの製品の作製のために、前記マッチしたデータセットに基づく前記仮想計画の結果として作製データセットを提供するステップとを含む方法。
【請求項１０】
頭蓋顔面治療処置で使用するための製品を作製する方法であって、請求項９に記載の前記作製データセットに少なくとも部分的に基づいて、前記製品を作製するステップを含む方法。
【請求項１１】
実行されたときに、請求項１ないし７のいずれかに記載の方法を遂行する命令を含む、プログラム可能な装置上で実行可能なコンピュータプログラム製品であって、前記コンピュータプログラムがコンピュータ可読媒体に格納可能であり、かつ前記頭蓋顔面空間における関心領域に関連する第１データセットおよび第２データセットのマッチングを容易化するように構成され、前記コンピュータプログラム製品が、
（ａ）前記第１データセットで面オブジェクトの少なくとも一部分を識別するための第１コードセグメントと、
（ｂ）前記面オブジェクトに基づいて第１座標を識別するための第２コードセグメントと、
（ｃ）前記第２データセットでボリュームオブジェクトの少なくとも一部分を識別する第３コードセグメントと、
（ｄ）前記ボリュームオブジェクトに基づいて第２座標を識別するための第４コードセグメントと、
を含み、前記第１および第２座標が互いに対して所定の関係を有する、
コンピュータプログラム製品。
【請求項１２】
頭蓋顔面空間の一部分と一致するように適応された形状を備えた少なくとも１つの表面を有する走査用構造であって、第１データセットから少なくとも部分的に識別可能である少なくとも１つの面オブジェクトと、第２データセットから少なくとも部分的に識別可能な少なくとも１つのボリュームオブジェクトとを有し、第１座標が前記面オブジェクトに基づいて識別可能であり、かつ第２座標が前記ボリュームオブジェクトに基づいて識別可能であり、前記第１座標および前記第２座標が互いに所定の関係を有するように、前記面オブジェクトが前記少なくとも１つのボリュームオブジェクトに関連して配置される、走査作用構造。
【請求項１３】
前記走査用構造が歯科構造の少なくとも一部分の印象を採得するために使用される歯科印象用トレーであり、前記歯科印象用トレーが、印象材を装填するように適応されたトレー部分であって、上部および／または下部歯科構造から印象を採得することができるように、患者の上部および／または下部歯科構造の少なくとも一部分に適合するように輪郭を作製されたトレー部分を含み；または前記走査用構造がＸ線撮影ガイドである、請求項１２に記載の走査用構造。
【請求項１４】
請求項１２または１３のいずれかに記載の歯科印象用トレーまたはＸ線撮影ガイドのような走査用構造を製造する方法であって、前記方法が、それぞれが前記面オブジェクトの一部分を含む２つの半体として前記走査用構造を製造するステップと、前記２つの半体を互いに組み立て、こうして前記面オブジェクトを前記走査用構造に統合するステップとを含み；または前記方法が、それぞれが前記面オブジェクトの一部分を含む２つの半体として前記走査用構造を製造するステップと、前記２つの半体を互いに組み立て、こうして前記面オブジェクトを前記走査用構造に統合するステップとを含み、前記組立てステップが前記ボリュームオブジェクトを前記２つの半体の間のボリューム内に包封するステップを含み；かつ／または前記方法が、少なくとも１つの面オブジェクトおよび少なくとも１つのボリュームオブジェクトを含む前記走査用構造を自由造形製造するステップを含み；かつ／または前記方法が、前記走査用構造のボリュームに放射線不透過性媒体を充填し、こうして前記ボリュームオブジェクトを形成するステップを含むように構成される、方法。
【請求項１５】
前記走査用構造に前記面オブジェクトの少なくとも１つおよび前記ボリュームオブジェクトの少なくとも１つを付着または統合するステップを含み、それによって前記少なくとも１つの面オブジェクトが第１データセットから少なくとも部分的に識別可能であり、第１座標が前記面オブジェクトに基づいて識別可能であり、それによって前記少なくとも１つのボリュームオブジェクトが第２データセットから少なくとも部分的に識別可能であり、第２座標が前記ボリュームオブジェクトに基づいて識別可能であり、前記第１および第２座標が互いに所定の関係を有するように、前記少なくとも１つの面オブジェクトおよび前記少なくとも１つのボリュームオブジェクトが前記走査用構造に付着または統合されるように構成される、請求項１４に記載の走査用構造を製造する方法。